(57)【要約】【課題】高エネルギーX線に対しても感度が高く且つ空間分解能が１ｍｍ以下であり、二次元光検出器と容易に組み合わせ可能な微細なシンチレーターアレイを容易に製作すること。【解決手段】加熱熔融などで液状化した樹脂に粉末状の結晶シンチレーターを混合し、微細穴加工した薄板を積層して得られる微細開口部を持つ固体の貫通孔に該混合物を注入し、冷却などで硬化する。大面積の二次元光検出器と位置決めしながら重ね合わせ、光学的に結合することによって放射線検出器とする。【選択図】図１
2013200290.tif 000002
【特許請求の範囲】
【請求項１】
固体物体に成形された直径1mm以下である複数の深穴貫通孔にシンチレーター材料が注入されることを特徴とするシンチレーターアレイ製造方法。
【請求項２】
前記の個体物体は、薄状の材料を積層して得られるものであることを特徴とする請求項１に記載のシンチレーターアレイの製造方法。
【請求項３】
前記のシンチレーター材料は、粉末状の結晶シンチレーターを液状の樹脂と混合したものであることを特徴とする請求項１又は２に記載のシンチレーターアレイの製造方法。
【請求項４】
前記のシンチレーター材料は、粉末状の結晶シンチレーターを液状の樹脂と混合したものを注入後に硬化するものであることを特徴とするシンチレーターアレイの製造方法。
【請求項５】
前記のシンチレーター材料は、ガス状(気体)又は液状(液体)であることを特徴とする請求項１又は２に記載のシンチレーターアレイの製造方法。
【請求項６】
前記の深穴貫通孔の内壁に、光反射率０、６以上の膜が構成されるを特徴とする請求項１〜５のいずれかに記載のシンチレーターアレイの製造方法。
【請求項７】
前記の薄状の板材は、厚さが０.１〜１mmであることを特徴とする請求項２に記載のシンチレーターアレイの製造方法。
【請求項８】
直径１mm以下の深穴貫通孔を２個以上有し、請求項１〜７に記載のいずれかに記載の製造方法によって製造されるシンチレーターアレイ。
【請求項９】
請求項８に記載のシンチレーターアレイが光学グリース、光学樹脂及び光学素子の少なくともいずれか１つを介して光検出器と光学的に結合されていることを特徴とする放射線検出器。
【請求項１０】
請求項９に記載の放射線検出器において、前記シンチレーターアレイの放射線入射側に放射線コリメーターを具備することを特徴とする放射線検出器。
【発明の詳細な説明】
【技術分野】
【０００１】
高い空間分解能を有する放射線検出器に関するものである。
【背景技術】
【０００２】
X線は医療や産業用途に広く用いられている。特に、X線による透視は医療や産業に於いて欠かせないものになっている。
【０００３】
医療用では、X線管による透視イメージングやCT(コンピュータトモグラフィー)といった透視技術が駆使される。
【０００４】
一方で、電子線加速器を用いた高エネルギーX線を用いた透視も行われている。電子線エネルギーが数100KeV以上の高いエネルギーのX線は透過力が強いため、産業用や空港港湾のセキュリティー用途での使用が進んでいる。
【０００５】
しかし、高エネルギーX線は透過率が高い半面、検出器で容易に検出出来ないという問題も併せ持つ。
【０００６】
非特許文献1に記載のFPD(フラットパネルデテクター)は0.2mmピッチの400万画素の二次元光検出器(光検出器群)を持ち、光検出器群前面にシンチレーターを配し、最大で15MeVまで感度があるとされているが、実際は1MeV以上の高エネルギーX線に対しては0.5％以下の感度であると推定される(非特許文献2、p.９１、図７−６)。これは、放射線を光に変換するシンチレーターの厚さが0.2mm程度であり、高エネルギーX線の殆どがシンチレーターを通過してしまうからである。
【０００７】
シンチレーターの厚さを大きくすれば、X線がシンチレーター内で物質と反応する確率は高くなる。しかし、シンチレーターを厚くするとシンチレーション光が広い範囲に届き、空間分解能が低下する恐れがある。
【０００８】
これを抑えるには、各々が光学的に分離されたシンチレーター群(シンチレーターアレイ)を各光検出器に対し接続することが必要である。
【０００９】
しかしながら、1mm以下(非特許文献1では0.2mm)のピッチの光検出器にこれを適用することは、これまでの方法では容易ではない。
【００１０】
特許文献1、特許文献2、特許文献3は、いずれもシンチレーターアレイについての先行技術である。これらの方法では100万画素を越える非特許文献1のFPDのような検出器にシンチレーターアレイを具備させるのは容易ではないということは想像に難くない。
【００１１】
他方、非特許文献3では、結晶シンチレーターを粉末化して樹脂と混ぜ合わせ、加工性を向上させるという提案がなされている。この方法は、特許文献3、特許文献4、特許文献5にも同様の開示がある。
【００１２】
結晶シンチレーターを粉末化して樹脂と混ぜ合わせたものを型(支持体に形成された穴)に流し込むという方法が、特許文献6の実施例６にて開示されている(図５)。しかし、個々の光検出器を型の穴に具備することを前提としているためＣＣＤやＣＭＯＳ素子を用いた平面型二次元光検出器を利用するのは困難であり、画素の多い非特許文献1のような検出器に適用するには改善の余地がある。
【先行技術文献】
【特許文献】
【００１３】
【特許文献１】特許第３１８８３０８号公報
【特許文献２】特許公開平５−０１９０６０号公報
【特許文献３】特許公表２０１１−５０８２０２号公報
【特許文献４】特許第４６６９１１４号公報
【特許文献５】特許公開２００４−３２５１７８号公報
【特許文献６】特許第４１３４９９３号公報
【非特許文献】
【００１４】
【非特許文献１】PerkinElmer、XRD1622AO,APProductNote
【非特許文献２】金海峰修士論文東京大学大学院工学系研究科原子力専攻（２０１２）
【非特許文献３】秋の分科会講演予稿集1985(1),29,1985-09-13、社団法人日本物理学会
【発明の概要】
【発明が解決しようとする課題】
【００１５】
高エネルギーX線に対応出来る微細なシンチレーターアレイを容易に製作すること。
【課題を解決するための手段】
【００１６】
固体物体に成形された直径1mm以下である複数の深穴貫通孔にシンチレーター材料が注入されることを特徴とするシンチレーターアレイ製造方法。
【００１７】
前記の個体物体は、薄状の材料を積層して得られるものであることを特徴とする請求項１に記載のシンチレーターアレイの製造方法。
【００１８】
前記のシンチレーター材料は、粉末状の結晶シンチレーターを液状の樹脂と混合したものであることを特徴とするシンチレーターアレイの製造方法。
【００１９】
前記のシンチレーター材料は、粉末状の結晶シンチレーターを液状の樹脂と混合したものを注入後に硬化するものであることを特徴とするシンチレーターアレイの製造方法。
【００２０】
前記のシンチレーター材料は、ガス状(気体)又は液状(液体)であることを特徴とするシンチレーターアレイの製造方法。
【００２１】
前記の深穴貫通孔の内壁に、光反射率０、６以上の膜が構成されるを特徴とするシンチレーターアレイの製造方法。
【００２２】
前記の薄状の板材は、厚さが０.１から１mmであることを特徴とするシンチレーターアレイの製造方法。
【００２３】
直径１mm以下の深穴貫通孔を２個以上有し、上記に記載のいずれかに記載の製造方法によって製造されるシンチレーターアレイ。
【００２４】
上記に記載のシンチレーターアレイが光学グリース、光学樹脂及び光学素子の少なくともいずれか１つを介して光検出器と光学的に結合されていることを特徴とする放射線検出器。
【００２５】
上記に記載の放射線検出器において、前記シンチレーターアレイの放射線入射側に放射線コリメーターを具備することを特徴とする放射線検出器。
【発明の効果】
【００２６】
微細な貫通孔それぞれにシンチレーターが成形されるので、空間分解能の高い放射線検出器が実現出来る。
【００２７】
貫通孔が成形されている固体の材質に放射線遮蔽能力の高いものを使用すれば、シンチレーター同士の放射線による干渉を防ぐことが出来る。
【００２８】
結晶シンチレーター粉末を用いた場合、高いエネルギーにも感度を持つ放射線検出器となる。
【００２９】
シンチレーターを放射線入射方向に長く成形すれば、高いエネルギーにも感度を持つ放射線検出器となる。
【００３０】
(固形でない)液状のシンチレーターを貫通孔に注入するので、一度に大量のシンチレーターを容易に成形することが可能となる。
【００３１】
固体に成形される貫通孔は、積層による方法で容易に成形可能である。
【００３２】
積層による方法で固体に貫通孔を成形するのであれば、隣接する貫通孔に干渉しない範囲で任意の形状の貫通孔を成形出来るので、シンチレーター(アレイ)も、任意の形状に成形可能である。予め成形された貫通孔が放射線入射方向を向いているように製作されていれば、成形されたシンチレーター(アレイ)もその方法を向くことになる。
【００３３】
本発明によるシンチレーターアレイは、光子線(X線、γ線)、荷電レプトン線(電子など)、α線、イオン(重イオン)粒子線、ハドロン粒子線(陽子、中性子など)に適用できる。
【図面の簡単な説明】
【００３４】
【図１】シンチレーターアレイの断面図
【図２】非固形のシンチレーターを穴に注入する方法例の模式図
【図３】シンチレーターアレイと放射線コリメーターを組み合わせた放射線検出器(実施例２)の断面図
【図４】光検出器郡の信号読み出し回路を放射線から保護することを考慮した放射線検出器(実施例３)の断面図
【図５】支持体の穴の各々に光検出器を設置しシンチレーター材料を流し込み固化させることにより構成されるシンチレーターアレイ（従来技術）の模式図
【発明を実施するための形態】
【００３５】
発明の実施形態について説明する。
【００３６】
本発明によるシンチレーターアレイは図１のような断面を持つものである。
【００３７】
シンチレーターを成形するための貫通孔を持つ固体１を準備する。一つないし複数の貫通孔を持つ板状の固体であって、実質的には放射線コリメーターそのものである。材質は、特許文献６のようにアルミニウムを用いることも出来るが、放射線遮蔽を気にするのであれば、放射線コリメーターに用いられる材質である鉛やタングステン若しくはタングステン合金を用いるのが望ましい。
【００３８】
製造方法としては、切削加工や鋳造も考えられるが、下記に示すような積層による方法が望ましい。
【００３９】
積層による方法は、厚さ0.1〜1mm程度の薄い板状の材料に対し貫通穴をフォトエッチング等の微細加工技術によって成形し、こうして製造された材料板(薄コリメーター板)を必要な厚さまで積層することを特徴とする。積層する際には位置決めが必要であるので、予め位置決め用ピンが貫通するための位置決め穴も材料板に同時に形成しておく。または、予めエッジを精密に加工しておき、これを位置決め治具(V字ブロックとも呼ばれる)に押し付けながら位置決めすることも考えられる。積層された材料板は拡散接合や接着、溶接やろう付けなどで一体化することが望ましい。板厚が1mm以上あれば溶接やろう付けは有効であると思われる。1mm以下であれば、拡散接合や接着の方が望ましい。
【００４０】
薄コリメーター板の厚さは0.1mmから1mmに限定されない。より微細な加工を要するのであれば、最適な厚さを選択する。材質によっては、厚さ5μm以下の板に数μmの開口部を形成することも可能となっている。逆に、厚さ1mmで、開口部2mmのものも可能である。
【００４１】
貫通孔を持つ固体の材料物質は、フォトエッチングの技術が確立されており且つ放射線遮蔽能力の高い材料が望ましい。銅、鉄やCRTシャドーマスク用の材料も選択肢に入る。遮蔽財として最も良いのはタングステンであるが、純タングステンは非常に硬く加工が困難であり、その為複雑な形状に切削加工するのは困難とされている。一般的には焼結による形成が行われている。加工性を良くするためにタングステン合金(ヘビーアロイ等)が用いられる場合もある。しかし、幸いにもタングステン系金属のエッチング方法も開示されている(特許公開平０５−１７５１７０号公報、特許公開２００８−２５８３９５号公報、特許公開２０１１−１５１２８７号公報)。遮蔽能力は劣るが、放射線束が軟X線領域のX線であれば、貫通孔を持つ固体の材料物質としてシリコンも選択肢に入る。
【００４２】
同様の加工ができる技術としてプレス加工があるが、金型が必要であり、初期投資が大きくなりがちである。ただし、鉛などエッチングに不向きな材料の加工に関してはプレス加工は有力な加工方法である。
【００４３】
中性子線束の遮蔽にはポリエチレン、パラフィン、などの高分子化合物が使われることが多い。また、中性子を捕捉しやすい硼素が添加される場合もある。しかしこれらはエッチングには不向きである。プレス加工であれば、これらの材料の加工が可能であり、貫通孔を持つ固体の材料として利用出来る。
【００４４】
特開昭６０−２３３１５４号公報には、ポリイミド樹脂、エポキシ樹脂、ポリフェニレンスルフィド樹脂、ポリエーテルエーテルケトン樹脂、ポリアミドイミド樹脂及びポリエーテルイミド樹脂からなる群から選ばれた高耐熱性と耐熱水性を有する一種又は二種以上をマトリックスとし、中性子吸収材料を混合分散させてなることを特徴とする中性子吸収遮蔽材組成物が開示されている。また、該公報には、中性子吸収材料がガドリニウム含有材料、硼素含有材料、リチウム含有材料等であることも開示されている。ポリイミドのエッチング方法については特許第３２５１５１５号公報にて開示されている。これは主に電子回路のフレキシブルプリント基盤のスルーホールの成形などに使われ、フィルム厚25μm、穴サイズ50μm〜数百μmの微細加工も可能である。従って、ポリイミドによる貫通孔を持つ固体は構成可能である。
【００４５】
検出されるべき放射線がパラレルビーム(平行)であると仮定できるときは、同じマスクを用いた薄コリメーター板を必要な厚さの分だけ用意すれば良い。拡大を行わないSPECTがこれにあたる。この場合、材料が鉄や鉛などプレス加工が可能なものなら、プレスも加工方法として選択肢に入る。
【００４６】
しかし、実際の放射線束はファンビームであったりコーンビームであったりすることが多い。この場合、薄コリメーター板は、各検出素子へのビームの入射角度にあわせ、各層で異なるドットピッチと開口径を有する必要があるので、ファンビーム及びコーンビーム用の貫通孔を持つ固体の場合、金型が大量に必要となるのでプレス加工は不向きである。
【００４７】
薄コリメーター板を多数積層すると、薄コリメーター開口部の状況によっては、各薄コリメーター板が密着せずに盛り上がってしまう可能性もある。これを防ぐには、薄コリメーター板積層後さらにある程度剛性のある板を設置し、薄コリメーター板を押さえ込むことが考えられる。
別の方法として、開口部成形の前に、薄コリメーター開口部の板厚を薄コリメーター板の縁の部分よりも若干薄く(数％から10％程度)加工しておくこと(減肉)も考えられる。薄くするのは片面だけでも良いし、両面でも良い。ハーフエッチング加工を適用すれば、この減肉加工は可能である。
【００４８】
また、逆に、薄コリメーター板よりも十分薄い(10％以下)の薄膜を、薄コリメーター板の縁の部分に挟み込むことでも、同様の効果を得られる。
【００４９】
他にも、成膜等(真空蒸着やスパッタリング、CVD)で縁の部分に薄い箔を追加し、薄コリメーター開口部についてはフォトマスクを用いて箔取り除くリフトオフという方法もある。
薄コリメーター板の減肉により上下の薄コリメーターに互いに噛み合うような凹凸構造を成型し、これをもって位置決めすることもできる。特に1mm程度の厚い板状材料の場合に有効と考えられる。
【００５０】
開口部を持つ固体１の開口部の間隔(ピッチ)は、組み合わせる光検出器３群(光検出器アレイ)のそれと同一であることが望ましい。
【００５１】
光検出器(群)は、単一の光検出器でも、一次元検出器(ラインセンサ)でも、二次元検出器(FPD)でも良い。
【００５２】
開口穴を持つ固体１に成形された開口穴の内壁に光反射膜を成形する。開口穴が微細な場合は、積層による方法で開口部を持つ固体１を成形するのであれば、各板(薄コリメーター板)を積層する前に真空蒸着等の方法で内壁に光反射膜を成形し、余分に付着した反射膜材質を研磨等で除去してから板を積層すると良い。
【００５３】
上記方法では、板同士の継目の部分には光反射膜が成形されず、内壁全体での光反射率の低下を招くかも知れない。これを緩和するには、何枚かを積層接着接合したあとに内壁に光反射膜を成形し、それをさらに積層するという方法も考えられる。
【００５４】
また、めっきでも光反射膜を成形出来る。
【００５５】
貫通孔を持つ固体の材料としてタングステンを採用した場合、その光反射率はおおよそ40〜60％であるとされている。従って、光反射膜の光反射率は60％を越えるものが望ましい。
【００５６】
特許文献6にはファインセラミック系の材料が高い反射率を示すと開示されている。その他、アルミニウムや銀などの金属も反射膜として考えられる。
【００５７】
シンチレーターは固形でない状態のものを使用する。一番望ましいのは、加熱溶解した樹脂に粉末化した結晶シンチレーターを混合したものである。勿論結晶シンチレーターの割合が高ければ高い程、単位距離あたりの放射線感受性は高くなる。
【００５８】
また、溶剤で熔融した樹脂や、2種類以上の液状の材料を混合すると硬化が始まるような材料も考えられる。
【００５９】
粉末シンチレーターと樹脂の組み合わせ以外には、液体シンチレーターや、溶解したプラスチックシンチレーターも考えられる。また、ガス状のシンチレーターも存在する。液体シンチレーターやガスシンチレーターは、容易に微細深穴貫通孔に侵入することが出来る。また、ガスシンチレーターは、密度が低いので放射線との反応の確率は低くなるものの、それを逆手にとり、放射線に対する影響を少なくした状態で放射線を検出するように出来る。
【００６０】
硬化する材料の場合は、硬化前後で体積形状の変化がないものが望ましい。
【００６１】
シンチレーターに対し切削切断加工を行わないので、完全に硬化しないような材料(シリコンゴム等)にシンチレーター粉末を混合しても構わない。一部シリコンゴム、所謂オプティカルセメント、所謂オプティカルグリス(ジェル)は、一般的にシンチレーターと光検出器の間の光接続部に使われているので、好適である。
【００６２】
あまり粘度が高いと、後述の注入が容易でなくなる可能性がある。
【００６３】
図２の様に、非固形のシンチレーターを該貫通孔に注入する。微細な深穴である貫通孔に粘度の高い非固形シンチレーターを注入するには、圧力を掛けて注入するか、裏側から真空引きをするなどの方法を取ることが望ましい。開口部よりはみ出した非固形シンチレーターの部分は、スクレイパー等ではぎ取ることも必要になるかも知れない。
【００６４】
樹脂が硬化した後、貫通孔を持つ固体の表面を研磨するなどして、はみ出したシンチレーターを除去する。
【００６５】
放射線入射側に遮光体７(金属膜等)を成形し、外光が入らないようにする。単に、薄い金属板を設置しても良いが、放射線に影響の無い厚さであることが望ましい。光を透過しない樹脂でも問題なさそうであるが、シンチレーション光を効率良く光検出器に導くには、光反射率の高い金属膜が望ましい。
【００６６】
金属膜として考えられるのは、アルミニウムやチタンの他、ベリリウムがある。ベリリウムは原子番号が小さく放射線に影響を与え難いので、X線や電子線などには好適である。しかし陽子線やα線の検出の際にベリリウムを用いるのは得策ではない。これは、ベリリウムに陽子線やα線を中性子線に変換する作用があるからである。
【００６７】
光の反射率が高い銀は原子番号が大きいので、放射線透過率に対して注意が必要である。
【００６８】
勿論、特許文献6にて開示されている反射材を用いることも可能である。
【００６９】
液体シンチレーターを用いる場合には、光検出器側は薄い透明材料で封止する。或いは接着剤を用いて光検出器で直接封止する必要がある。
【００７０】
貫通孔を持つ固体の材料としてタングステン等の高温高圧に耐えられる材料を採用した場合、粉末状の結晶シンチレーターを貫通孔に入れ、焼結により固形の結晶シンチレーターを形成することも可能である。
【実施例１】
【００７１】
シンチレーターアレイは、光検出器アレイに正確に位置決めして設置されることが望ましい。予め光検出器アレイ側(光検出器サブストレート又は光検出器基板４)に位置決めピン５等を設置し、シンチレーターアレイ側に位置決め穴を予め成形しておくことが望ましい。
【００７２】
シンチレーターと光検出器の間には、何らかの光接続素子(光学グリス、光学セメント等の光学樹脂、光ファイバー、波長変換物質、その他の光デバイス)が介在することも考えられる。
【実施例２】
【００７３】
光検出器群に設置されたシンチレーターアレイのさらに上部に、図３のように放射線コリメーターを設置することも出来る。放射線コリメーターもシンチレーターアレイと同様に位置決め穴を有し、光検出器アレイ及びシンチレーターアレイと正確に位置決めされることが望ましい。
【００７４】
シンチレーターが成形されている開口部の形状と放射線コリメーターの開口部の位置は一致することが望ましいが、形状は同一でない場合も考えられる。例えば、放射線コリメーターの開口部の面積がシンチレーターのそれよりも小さいといったような場合も考えられる。
【００７５】
また、シンチレーターアレイに成形される遮光膜を、放射線コリメーター内層や前面に成形することも考えられる。
【実施例３】
【００７６】
光検出器には大抵信号読み出し回路が付随している。ここで言う信号読み出し回路とは光検出器に印加するバイアスを供給する回路や、バイアスから信号を分離する回路、信号増幅器、ピークホールド回路、波形成形回路、アナログデジタル変換回路(ADC)、デジタル信号処理回路、信号送出回路(コンピューター等とのインターフェース)等の、光検出器を動作させ、外部へ何らかの電気信号として取り出すために必要な電子回路のことである。。これらは主に半導体素子で構成されるが、半導体は放射線に対する耐性が高いとは言えないものも多い。現に、非特許文献1では、検出器部分以外に放射線を直接照射しないよう推奨されている。
【００７７】
放射線を検出器部分のみに照射出来れば良いが、状況によっては容易ではない場合もある。非特許文献2では、X線が検出器部分以外に照射されないように鉛ブロックによる放射線遮蔽体を設置している。しかし、このような方法では、装置の移動設置の度に鉛を設置しなければならず、不便である。また、鉛ブロックの固定の問題もあり、放射線検出器を下向きに設置するなどは困難と思われる。
【００７８】
考えられる解決方法の一つは、貫通孔を持つ固体を遮蔽能力の高い物質で構成し、図４に示すように、貫通孔を持つ固体を横方向に貫通孔部分以外の部分まで広げ、貫通孔部分以外の部分で信号読み出し回路１１を放射線から防御するようにすることである。同様に、実施例２の放射線コリメーターも横方向に貫通孔部分以外の部分まで広げ、信号読み出し回路１１を覆うようにする。
【００７９】
また、周囲に漏れた放射線が複雑に散乱してシンチレーターや光検出器、信号読み出し回路に入射するのを防ぐため、貫通孔を持つ固体をより大きくすることも可能である。さらに別途放射線遮蔽体を放射線検出器の周囲を囲むように具備することも可能である。
【産業上の利用可能性】
【００８０】
空間分解能が高い放射線検出器(ガンマカメラ等)を構成出来るので、透過力の必要な産業用X線透視装置で高空間分解能の透過画像を提供することが出来る。
【００８１】
高エネルギーX線によるCTにおいて高空間分解能を実現でき、部品や製品の検査に対するX線CTの利用範囲が広がる。
【００８２】
高空間分解能の必要な動物用CTで空間分解能の向上が期待出来る。人間用CTでも同様である。
【００８３】
ポジトロン断層法(PET)や単一光子放射断層撮影(SPECT)においても、空間分解能が高いガンマカメラにより、高空間分解能の実現が期待出来る。
【００８４】
容易に製造可能であり、シンチレーターアレイの高空間分解能化と低価格化を両立出来る。
【符号の説明】
【００８５】
１貫通孔を持つ固体
２シンチレーター
３光検出器
４サブストレート又は光検出器基板
５位置決めピン
６放射線コリメーター
７遮光体
８位置決めピン用穴
９非固形(液状)のシンチレーター
１０非固形(液状)のシンチレーター注入用治具
１１信号読み出し回路
１２支持体
１３光反射膜
【図１】
2013200290.tif 000003
【図２】
2013200290.tif 000004
【図３】
2013200290.tif 000005
【図４】
2013200290.tif 000006
【図５】
2013200290.tif 000007